(57)【要約】      （修正有）【課題】手動と気動の両方で駆動可能なおもちゃ銃の提供。【解決手段】エアで起動する際、手で第一制御部の引き金を引くことにより、ロッドを動かすと、ロッド下方に設置された噛合い部はハンマーのフックを連動させるので、ハンマーの回転動力を生じさせてバルブを衝撃する。そのため、エアが第二制御部のスリーブを経由して銃身に入ってプラスチック銃弾を発射することができる。エアがなくなったら、手で第二制御部のピストンのレバーを引き、ピストンを後ろに移動させる時に、その下のフランジはピストンのホゾの角に引っ掛かり、指で引き金を引くと、ロッドの末端に設けられた第二ピンはピストンのホゾを衝撃するので、ピストンのホゾを回転させて移動させる。ピストンが回復バネの弾力により、瞬間に前に押され、ピストンがシリンダー内の空気を即時に圧縮して銃弾を発射させる。【選択図】図１
0003134697.tif 000002
【実用新案登録請求の範囲】
【請求項１】
本体、銃身、エネルギー部、第一制御部、ロッド、引き金、ハンマー、ピストンのハゾ、巻きバネ及び第二制御部を含み、
該本体はハンドルと長い槽があり、
該エネルギー部バルブのエア貯蔵槽が設けられたバルブ座、及び回復バネを含め、
該第二制御部はシリンダー、ピストン、スリーブ、回復バネによって構成され、
このエネルギー部を本体のハンドル内部に設け、前述のエネルギー部のバルブ座内にバルブを設け、第一制御部のロッドと第二制御部の引き金は結合し、ロッドのみみと第二制御部のスリーブは対応し合うよう設置され、且つロッド後端の下側周縁に噛合い部と長い槽の穴が、フックと対応するように設置され、これで、前側にあるファイアリングピンを打ち、前述のエネルギー部のバルブと接触するように対応して設置し、且つ、ハンマーの下側周縁は延びてフックとなり、前述のロッドの噛合い部と対応して掛け合って作動し、そして、ピストンのホゾはロッドの後端から凹んで設置された中空部を通過するよう、本体のない壁面が対応する穴に設置され、これにより、ピストンのホゾはロッドと連動できるようになり、
前述の第二制御部のシリンダーの後端は、ピストンを収納するように貫通してシリンダー槽が設けられ、前端の縮小端の内管部はスリーブを収納することができるので、前述のピストンとスリーブを、シリンダーのシリンダー槽と内管部において活動させることができ、また、この縮小端の下方に、第二エアインレットを設け、スリーブのインレットと対応させ、回復バネはピストンの開放する端から、穴内部に設けられ、且つ、ピストンの開け口側の下方は延びてフランジが設けられ、前述のピストンのホゾの角と対応するように設置されることを特徴とする手動と気動の両方で駆動可能なおもちゃ銃。
【請求項２】
第一制御部のロッドは長形プレートであり、片端にピンが設けられ、他端に、逐次に突出し部が設置され、上側周縁の適切な位置に穴のみみが抜けて設置され、噛合い部は延びてロッドの下側周縁の適切な位置に設けられ、その傍らに貫通する長い槽の穴が設けられ、また、他端の末端に中空部が凹んで設置された後、延びて第一ピンと第二ピンが設置され、そして、引き金の両側はそれぞれに、バネが突き出して設置できる軸部が設けられ、その上方に凹み穴が設けられ、この凹み穴は前述のロッドのピンに対応してバネが設置されることを特徴とする請求項１記載の手動と気動の両方で駆動可能なおもちゃ銃。
【請求項３】
該ハンマーは前述のガス貯蔵槽のバルブの片側に対応して延びてファイアリングピンが設けられ、ハンマーの両側はそれぞれに延びて軸部とピン軸が設けられ、前述の軸部と同じ側の上方にまた延びて突出し部が設けられ、そして、他側の下方にある適切な位置にフックが設けられ、バネは前述の軸部に設置されていることを特徴とする請求項１記載の手動と気動の両方で駆動可能なおもちゃ銃。
【請求項４】
該ピストンのホゾはプレート状の曲げ装置であり、その両側にはそれぞれに、延びて軸部とピン軸が設けら、曲げ装置の適切な側に突出し部が設置され、且つ、曲げ装置の末端に角が形成し、バネは前述の軸部に設置されていることを特徴とする請求項１記載の手動と気動の両方で駆動可能なおもちゃ銃。
【請求項５】
該第二制御部のシリンダーは管状の装置であり、管の中央にシリンダーが形成しており、その片端は延びて縮小端が設置され、該縮小端の下方の適切な位置に、第二エアインレットが設けられ、シリンダーの上側の適切な位置に、緩衝バネが設けられ、そして、ピストンの片端の管壁の外側の上方にレバーが設けられ、レバーに対応する管壁の他側にフランジが設けられ、その管体の中央に穴が形成しており、且つ、回復バネはこの穴内部に設けられていることを特徴とする請求項１記載の手動と気動の両方で駆動可能なおもちゃ銃。
【請求項６】
外径が前述のシリンダーの縮小端の内径より小さいスリーブは、対応するように設置されたより小さい管径のスリーブ状のものであり、その片側に突出し部が設けられ、管体下方の適切な位置に抜けるようにエアインレットが設けられ、その中央にはエア通路が形成され、且つ、該スリーブは前述の縮小端内部に設けられていることを特徴とする請求項１記載の手動と気動の両方で駆動可能なおもちゃ銃。
【考案の詳細な説明】
【技術分野】
【０００１】
本考案は一種の気動と手動の両方で駆動可能なおもちゃ銃に関するものであり、特に、手動や気動などの異なる方法で駆動する制御構造を指している。
【背景技術】
【０００２】
現にあるプラスチック(PP)製の銃弾を発射するおもちゃ銃の製品の中、よく見られるのは手動タイプ、気動タイプと電動タイプなどの構造がある。その中、気動タイプは外部ボンベでおもちゃ銃に高圧ガスを供給し、その高圧ガスからの圧力を利用してプラスチック(PP)銃弾を外へ発射させる。手動タイプは圧縮されたバネが伸びる時に生じた弾力でピストンを押して高圧ガスを生成してプラスチック(PP)銃弾を発射させる。この両タイプの動力は異なっているので、構造にも明らかな差異がある。
【０００３】
また、手動タイプのおもちゃ銃の構造において、簡単なものは手で引くやり方でピストンを動かしてバネを圧縮する。この種の構造は単に射撃効果しか持たないので、使用には楽しみがない。また、電動モータを利用して伝動構造を介してピストンを動かしてバネを圧縮するタイプは、切り替えることだけで発射と連続射撃する効果が実現でき、より楽しめるものもある。しかし、今の製品は手動であろうか、気動または伝動モータ伝動タイプであろうか、それらの駆動方式は単一の形でおもちゃ銃製品に存在するしかない。手動と気動による駆動する構造は未だにない。それで、エアがなくなったら、気動駆動タイプのおもちゃ銃は使用できなくなる。こういう使用上の欠点は製品の競争力を欠けている。
【０００４】
従来のおもちゃ銃が同時に手動と気動の両方の制御が持たない欠点に鑑み、本考案の考案者はこれらの欠点の改良を研究した結果に、本考案が実現できたわけである。
【考案の開示】
【考案が解決しようとする課題】
【０００５】
本考案の主要目的は、一種の手動と気動の両方で駆動可能なおもちゃ銃を提供し、同時に手動と気動駆動を兼ねる駆動方式で、使用の変化を与えることにより、楽しみを増やすことにある。
【０００６】
前述の目的を実現するには、本考案は本体、銃身、エネルギー部、第一制御部、第二制御部などの構造を含めている。エネルギー部は：ガス貯蔵槽、回復バネを含み、第一制御部はロッド、引き金、ハンマー、ピストンのピン、巻きバネによって構成されている。第二制御部はシリンダー、ピストン、スリーブ、回復バネによって構成され、シリンダーで駆動する際、手で第一制御部の引き金を引くことによりロッドを連動させる。ロッド下方の適切な位置に噛合い部があるので、ハンマーのフックを動かすことができ、ハンマーに回転動力を生じさせ、バルブを衝撃させる。これで、エネルギー部のガス貯蔵槽内のガスは、第二制御部のスリーブを経由して銃身に入って銃弾を発射することができる。ガスがなくなったら、手で直接に第二制御部ピストンのレバーを引き、ピストンを後ろに移動させると、その下方のフランジはピストンのホゾの角に引っかかるようになる。手で引き金を引くと、引き金と連動するロッドの末端に設けられた第二ピンを衝撃し、前述のピストンのホゾを回転させて移動させる。そのため、ピストンのホゾの角がピストンのフランジから離れるようになる。ピストンは穴内の回復バネの弾力により、前に瞬間に推進される。そして、ピストンは予め設けられた回復バネの弾力により、シリンダー内の空気を即時に圧縮し、手動制御の射撃をすることができる。これで、手動、気動の二種のやり方で射撃できるおもちゃ銃の構造が実現できた。
【０００７】
本考案の詳細構造、応用原理、作用と効果については、以下の図示の説明を参照すると、理解していただける。
【課題を解決するための手段】
【０００８】
請求項１の考案は、本体、銃身、エネルギー部、第一制御部、ロッド、引き金、ハンマー、ピストンのハゾ、巻きバネ及び第二制御部を含み、
該本体はハンドルと長い槽があり、
該エネルギー部バルブのエア貯蔵槽が設けられたバルブ座及び回復バネを含め、
該第二制御部はシリンダー、ピストン、スリーブ、回復バネによって構成され、
このエネルギー部を本体のハンドル内部に設け、前述のエネルギー部のバルブ座内にバルブを設け、第一制御部のロッドと第二制御部の引き金は結合し、ロッドのみみと第二制御部のスリーブは対応し合うよう設置され、且つロッド後端の下側周縁に噛合い部と長い槽の穴が、フックと対応するように設置され、これで、前側にあるファイアリングピンを打ち、前述のエネルギー部のバルブと接触するように対応して設置し、且つ、ハンマーの下側周縁は延びてフックとなり、前述のロッドの噛合い部と対応して掛け合って作動し、そして、ピストンのホゾはロッドの後端から凹んで設置された中空部を通過するよう、本体のない壁面が対応する穴に設置され、これにより、ピストンのホゾはロッドと連動できるようになり、
前述の第二制御部のシリンダーの後端は、ピストンを収納するように貫通してシリンダー槽が設けられ、前端の縮小端の内管部はスリーブを収納することができるので、前述のピストンとスリーブを、シリンダーのシリンダー槽と内管部において活動させることができ、また、この縮小端の下方に、第二エアインレットを設け、スリーブのインレットと対応させ、回復バネはピストンの開放する端から、穴内部に設けられ、且つ、ピストンの開け口側の下方は延びてフランジが設けられ、前述のピストンのホゾの角と対応するように設置されることを特徴とする手動と気動の両方で駆動可能なおもちゃ銃としている。
請求項２の考案は、第一制御部のロッドは長形プレートであり、片端にピンが設けられ、他端に、逐次に突出し部が設置され、上側周縁の適切な位置に穴のみみが抜けて設置され、噛合い部は延びてロッドの下側周縁の適切な位置に設けられ、その傍らに貫通する長い槽の穴が設けられ、また、他端の末端に中空部が凹んで設置された後、延びて第一ピンと第二ピンが設置され、そして、引き金の両側はそれぞれに、バネが突き出して設置できる軸部が設けられ、その上方に凹み穴が設けられ、この凹み穴は前述のロッドのピンに対応してバネが設置されることを特徴とする請求項１記載の手動と気動の両方で駆動可能なおもちゃ銃としている。
請求項３の考案は、該ハンマーは前述のガス貯蔵槽のバルブの片側に対応して延びてファイアリングピンが設けられ、ハンマーの両側はそれぞれに延びて軸部とピン軸が設けられ、前述の軸部と同じ側の上方にまた延びて突出し部が設けられ、そして、他側の下方にある適切な位置にフックが設けられ、バネは前述の軸部に設置されていることを特徴とする請求項１記載の手動と気動の両方で駆動可能なおもちゃ銃としている。
請求項４の考案は、該ピンストンのホゾはプレート状の曲げ装置であり、その両側にはそれぞれに、延びて軸部とピン軸が設けら、曲げ装置の適切な側に突出し部が設置され、且つ、曲げ装置の末端に角が形成し、バネは前述の軸部に設置されていることを特徴とする請求項１記載の手動と気動の両方で駆動可能なおもちゃ銃としている。
請求項５の考案は、該第二制御部のシリンダーは管状の装置であり、管の中央にシリンダーが形成しており、その片端は延びて縮小端が設置され、該縮小端の下方の適切な位置に、第二エアインレットが設けられ、シリンダーの上側の適切な位置に、緩衝バネが設けられ、そして、ピストンの片端の管壁の外側の上方にレバーが設けられ、レバーに対応する管壁の他側にフランジが設けられ、その管体の中央に穴が形成しており、且つ、回復バネはこの穴内部に設けられていることを特徴とする請求項１記載の手動と気動の両方で駆動可能なおもちゃ銃としている。
請求項６の考案は、外径が前述のシリンダーの縮小端の内径より小さいスリーブは、対応するように設置されたより小さい管径のスリーブ状のものであり、その片側に突出し部が設けられ、管体下方の適切な位置に抜けるようにエアインレットが設けられ、その中央にはエア通路が形成され、且つ、該スリーブは前述の縮小端内部に設けられていることを特徴とする請求項１記載の手動と気動の両方で駆動可能なおもちゃ銃としている。
【考案の効果】
【０００９】
本考案は手動と気動の両方で駆動可能なおもちゃ銃を提供し、同時に手動と気動駆動を兼ねる駆動方式で、使用の変化を与えることにより、楽しみを増やすことにある。
【考案を実施するための最良の形態】
【００１０】
図１は本考案の立体構造組立の一部の断面図であり、図２は本考案の構造立体分解図であり、図３は図２の第一制御部の四つの装置立体の立体拡大図である。そして、図４は本考案の気動制御構造の組立平面の断面図(一)である。図示から分かるように、本考案は：本体１、銃身２、エネルギー部３、第一制御部４、第二制御部５などの構造を含めている。本体１にはハンドル１１及び長い槽１２が設置されており、且つ本体１及び銃身２共は従来通りの構造であるので、ここで詳しく説明しない。エネルギー部３は：ガス貯蔵槽３１、回復バネ３２によって構成される。第一制御部４は：ロッド４１、引き金４２、ハンマー４３、ピストンのホゾ４４、巻きバネ４５、４６によって構成される。第二制御部５は：シリンダー５１、ピストン５２、スリーブ５３、回復バネ５４によって構造される。
【００１１】
エネルギー部３のガス貯蔵槽３１は、ガス貯蔵容器である。その中は安全性の高い高圧ガスを充填することができ、上方の適切な位置にはエアタップ３１４の設置ができる。しかも、ガス貯蔵槽３１とエアタップ３１４との間のエア通路でのバルブ座３１２内にエアフロー制御用のバルブ３１１が設置できる。ガス貯蔵槽３１の片側に、プラスチック銃弾６を収納スペースが設けられ、且つ回復バネ３２の上にプラスチック銃弾を推進する推進部３２１が設置される。
【００１２】
第一制御部４のロッド４１は長形のプレートであり、その片端にピン４１１が設けられ、他端は逐次に突出し部４１２、上部周縁の適切な位置に突き抜ける穴４１３１のみみ４１３が設けられ、そして、噛合い部４１４が延びてロッド４１の下周縁の適切な位置に設置される。その傍らにまた、突き抜ける長い槽の穴４１７が設けられ、他端の末端に近いところに中空部４１８が設けられた後はまた、第一ピン４１５と第二ピン４１６が延びて設けられる。そして、引き金４２の両側には対応するように、留めバネ４２３、４２４の軸部４２１a、４２１bを設けてもよい。その上方に凹み穴４２２が設けられ、凹み穴４２２はロッド４１のピン４１１に対応してバネ４２４が設けられている。且つ、前述のロッド４１のピン４１１は、凹み穴４２２を突き出してバネ４２３の押し付けに供される。ハンマー４３は前述のガス貯蔵槽３１のバルブ３１１の片側に対応し、延びてファイアリングピン４３１が設けられる。このハンマー４３の両側はそれぞれに延びて軸部４３２及び軸ピン４３４が設けられ、前述の軸部４３２と同じ側の上方にまた延びて突出し部４３３が設けられる。他側の下方にある適切な位置にフック４３５が設けられ、バネ４５は前述の軸部４３２に設けられている。ピストンのホゾ４４はプレート状の曲げ装置であり、両側に延びて軸部４４１及びピン軸４４３がそれぞれに設置されている。この曲げ装置の適切な側に突出し部４４２が設けられ、且つこの曲げ装置の末端に角４４４が形成しており、バネ４６は前述の軸部４４１に設置される。
【００１３】
第二制御部５のシリンダー５１は管状の装置であり、管中央にシリンダー槽５１１が形成している。片端には延びて縮小端５１０が設けられ、且つ縮小端５１０の下方にある適切な位置に第二エアインレット５１３(図４参照)が設置される。シリンダー５１の上方の適切な位置に緩衝バネ５１２が設けられ、管状シリンダー５１に対応するシリンダー槽５１１にピストン５２が設置される。その片端の管壁の外側の上方にレバー５２１が設けられる。レバー５２１に対応する管壁の他側にまたフランジ５２２(第４、７図を参照)が設置される。管体中央に穴５２３が形成しており、且つ回復バネ５４はこの穴５２３内に設けられている。外径がシリンダー５１の縮小端５１０の内径より小さいスリーブ５３は、対応して設置された管径がより小さい管状のものである。その片側に突出し部５３１が設けられ、管体下方の適切な位置にエアインレット５３０ (図４参照)、その中央にエア通路５３２が形成している。しかも、スリーブ５３は前述の縮小端５１０内に設けられている。
【００１４】
組み立ての際は図１、図２、図３、図４を参照しながら、銃身２を銃の本体１と組み立てた後に、回復バネ３２をエネルギー部３のプラスチック銃弾排出口３１３におく。バルブ３１１をバルブ座３１２内に設けてから、エネルギー部３を本体１のハンドル１１内におく。第一制御部４はまず、ロッド４１前端のピン４１１にバネ４２４を置き、そして、引き金４２の凹み穴４２２に置く。且つ、バネ４２４の片端を引き金４２が対応する軸部４２１bに突き当てさせる。バネ４２４の他端はロッド４１の突き出し部４１２に突き当たっている。そして、引き金４２の片側の軸部４２１aにはバネ４２３が設けられ、バネ４２３は任意の端は銃の本体１の内壁面に突き当たっている。そして他端は引き金４２の凹み穴４２２が延びだしているピン４１１に突き当たっている。ロッド４１の中段の内側の周縁にあるみみ４１３は長い形の穴４１３１が設けられ、第二制御部５のスリーブ５３の突出し部５３１と対応している。ロッド４１後端の下側に噛合い部４１４があり、傍らに長い槽の穴４１７がある。長い槽の穴４１７はハンマー４３の片側の軸ピン４３４と対応するように設けられている。しかも、ハンマー４３の他側の軸部４３２はバネ４５が設けられた。バネ４５下方の任意の端は、銃本体１の内壁(図４参照)に突き当たっている。
【００１５】
バネ４５の他端はハンマー４３の突き出し部４３３に突き当たり、そして、ハンマー４３の前側のファイアリングピン４３１の設置は、前述のエネルギー部３のバルブ３１１と接触して対応している。それに、ハンマー４３の下側周縁が延びたフック４３５は、前述のロッド４１の噛合い部４１４と対応して掛け合って作動する。ロッド４１後端に中空部４１８が凹むよう設けられので、ピストンのホゾ４４の片側に設けられたピン軸４４３が通過でき、本体１の内壁が対応する穴(図示に示されていない)に設置される。そして、ピストンのホゾ４４の他側の軸部４４１にバネ４６が設けられる。バネ４６の任意の端は本体１内部に延びて設けられた突出し部１１１に突き当たり、他端はピストンのホゾ４１と同側にある突出し部４４２に突き当たっているので、ピストンのホゾ４４はロッド４１とを連動させることができる。
【００１６】
前述の第二制御部５の中空のシリンダー５１後端に突き抜けて設けられたシリンダー槽５１１には、ちょうどピストン５２を収納することができる。シリンダー５１前端の縮小端５１０の内管部(図示には示されていない)はスリーブ５３を収納することができる。しかも、前述のピストン５２とスリーブ５３のそれぞれをシリンダー５１のシリンダー槽５１１と内管部において活動させることができる。この縮小端５１０下方に第二エアインレット５１３が設けられ、スリーブ５３のエアインレット５３０と対応している。回復バネ５４はピストン５２の開放する端に設けられた穴５２３から内部に設置され、且つ、ピストン５２の開放する端の下方には延びてフランジ５２２が設けられ、前述のピストンのホゾ４４の角４４４と対応するよう設置される。これにより、手動と気動の両方で駆動可能おもちゃ銃の構造ができる。
【００１７】
使用時は、図１、図４、図５、図６及び図６のAを参照すること。図示は本考案の立体構造組立部分の断面図、及び気動駆動方式の動作概略図である。使用者が引き金４２を引く前、この時のロッド４１後端の下側周縁の噛合い部４１４は、ハンマー４３の片側下方の適切な位置に設けられたフック４３５と噛み合っている状態(図４参照)である。しかも、エネルギー部３のバルブ３１１はエアタップ３１４のエア通路を閉じている。使用者が指で引き金４２を引くと、引き金４２の凹み穴４２２はバネ４２４とロッド４１のピン４１１に突き当たっているので、この時のロッド４１は引き金４２の駆動により、銃口のほうに移動する(図５参照)。ロッド４１のみみ４１３の穴４１３１は第二制御部５のスリーブ５３側面の突出し部５３１を連動させ、スリーブ５３をも前に移動させる。スリーブ５３が前に移動すると、スリーブ５３の管体下方に設けられたエアインレット５３０は、シリンダー５１の縮小端５１０が対応するように設置された第二エアインレット５１３と貫通する。且つ、ロッド４１後端の下側周縁の噛合い部４１４はハンマー４３を連動させて回転させる。また、ハンマー４３のファイアリングピン４３１はバルブ３１１との接触を離すようになる。ハンマー４３が臨界点まで回転すれば、前述のロッド４１はみみ４１３の穴４１３１が長形槽であるため、ロッド４１はハンマー４３のフック４３５によって下へ押されると、下向けの位置移動が発生する。この時、ハンマー４３はバネ４５の回復弾力によって逆方向に回転され、ファイアリングピン４３１を瞬間にバルブ３１１を打たせる。これで、ガス貯蔵槽３１内の高圧ガスはエアタップ３１４の通路から適当の量が放出される(図６参照)。ここで、図６のAは本考案のバルブ構造の拡大概略図である。ファイアリングピン４３１がバルブ３１１を衝撃する時に、バルブ座３１２とエアタップ３１４の通路に空気が入った状態の拡大図である。高圧ガスがエアタップ３１４からシリンダー５１の第二エアインレット５１３及びスリーブ５３のインレット５３０に入った時、ピストン５２が回復バネ５４の推進により、シリンダー５１の縮小端５１０とスリーブ５３を閉じ、エアがシリンダー５１後端から漏れないようにすることができるため、高圧ガスは完全に、銃身２の排出口のほうに押されている。この時、スリーブ５３の排出口側のプラスチック銃弾６は高圧ガスの瞬間衝撃を受けて銃身２の排出口から発射され、且つ引き金４２は、バネ４２３、ロッド４１がバネ４２４の作動により、瞬間に初期状態に回復すると、バネ４５はハンマー４３を瞬間に最初の対応状態に回復させるので、使用者は連続に引き金４２を引けば、高圧ガスによるエアタイプ、プラスチック銃弾６を連続に射撃することができるおもちゃ銃の構造が実現できる。
【００１８】
高圧ガスがなくなると、図７、図８、図９が示すように、使用者は銃弾６の射撃方を変えることができる。即ち、使用者は手でピストン５２のレバー５２１を、矢印通りの長い槽１２ (図２参照)銃内部のシリンダー５１の後端引っ張り、レバー５２１に対応する管壁の他側に設置されたフランジ５２２を、図７のように後端へ延ばし、そして、ピストンのホゾ４４の角４４４に突き当てるようにすれば、この時に穴５２３内に設置された回復バネ５４は圧縮状態になる。プラスチック銃弾６を、前述のスリーブ５３の前端に導き、使用者が手で引き金４２を引くと(図８の矢印参照)、引き金４２はピン４１１を利用してロッド４１を銃身２の前端に引っ張る。この時、ロッド４１後端の第二ピン４１６は前に移動し、ピストンのホゾ４４の曲げ位置に突き当たるようになる。そして、ピストンのホゾ４４を矢印通りに回転させる。これで、ピストンのホゾ４４の角４４４はフランジ５２２に突き当たった状態から開放される。この時、回復バネ５４の弾力は瞬間に回復し、ピストン５２を銃身２の前端に推進する。ピストン５２がシリンダー槽５１１内において瞬間に生成する圧縮ガスを利用することにより、プラスチック銃弾６を銃身２の前端から発射する(図９参照)。手動射撃が完了すれば、全部の構造は最初の状態に戻る。
【００１９】
以上によれば、本考案の手動と気動の両方で駆動可能なおもちゃ銃は、エア駆動の瞬間を利用してプラスチック銃弾を発射することが分かる。また、エアがなくなったら、直接の手動方法で、ピストン５２が予め設置された回復バネ５４の弾力を利用することにより、シリンダー５１内の空気を即時に圧縮することで手動制御の射撃をすることができる。その制御構造は、おもちゃ銃の一発射撃及び連続射撃を切り替える効果を持っており、確実に産業的な利用性、新規性及び進歩性を持っている。
【図面の簡単な説明】
【００２０】
【図１】本考案の構造組立の立体断面図。
【図２】本考案の構造立体分解図。
【図３】図２の第二制御部の部分の装置に関する立体拡大図。
【図４】本考案の気動制御構造の組立断面の概略図(一)。
【図５】本考案の気動制御構造の組立断面の概略図(二)。
【図６】本考案の気動制御構造の組立断面の概略図(三)。
【図７】手動制御構造の組立断面の概略図(一)。
【図８】手動制御構造の組立断面の概略図(二)。
【図９】手動制御構造の組立断面の概略図(三)。
【符号の説明】
【００２１】
１  本体                    １１  ハンドル
１２  長い槽                ２  銃身
３  エネルギー部            ３１  ガス貯蔵槽
３１１  バルブ              ３１２  バルブ座
３１３  銃弾の排出口        ３１４  エアタップ
３２  回復バネ              ３２１  推進部
４  第一制御部              ４１  ロッド
４２  引き金                ４３  ハンマー
４４  ピストンのホゾ        ４５、４６  巻きバネ
４１１  ピン                １１１、４１２  突出し部
４１３１  穴                ４１３  みみ
４１４  噛合い部            ４１５  第一ピン
４１６  第二ピン            ４１７  長い槽の穴
４１８  中空部              ４２１a、４２１b  軸部
４２２  凹み穴              ４３３、４４２、５３１  突出し部
４２３、４２４  バネ        ４３１  ファイアリングピン
４３２、４４１  軸部        ４３４  軸ピン
４３５  フック              ４４３  ピン軸
４４４  角                  ５  第二制御部
５１  シリンダー            ５１０  縮小端
５１１  シリンダー槽        ５１２  緩衝バネ
５１３  第二エアインレット    ５２  ピストン
５２１  レバー                ５２２  フランジ
５２３  穴                    ５３  スリーブ
５３０  エアインレット        ５３２  エア通路
５４  回復バネ                ６  プラスチック銃弾
【図１】
0003134697.tif 000003
【図２】
0003134697.tif 000004
【図３】
0003134697.tif 000005
【図４】
0003134697.tif 000006
【図５】
0003134697.tif 000007
【図６】
0003134697.tif 000008
【図７】
0003134697.tif 000009
【図８】
0003134697.tif 000010
【図９】
0003134697.tif 000011